(57)【要約】【課題】イーサネットの通信規格に従って一対の端子同士の長さ関係を維持しながらも、一方の端子の先端部における、他方の端子の先端部に対する相対位置を任意に配置して、イーサネット用端子に関する回路設計上の柔軟性を高めてコネクタをコンパクトにすることができるイーサネット用端子を提供する。【解決手段】一対の端子１０，２０において、伝送経路に沿った、導電部５との接続点Ｐ１と、その先端Ｐ２との長さそれぞれが、イーサネットの通信規格に従って互いに同一またはその差が所定の範囲以内に設けられており、一対の端子１０，２０うち第２の端子２０（一方の端子）には、経路迂回部２５が設けられる。【選択図】図３
2020173988.tif 000002
【特許請求の範囲】
【請求項１】
一対単位で設けられ、針金状にそれぞれ形成され、その基端部で同一の平面上にそれぞれ配置される導電部にそれぞれ接続し、その先端部で相手方の端子にそれぞれ接続し、イーサネット（登録商標）の通信規格に従って互いの電位差によってデジタル信号を伝送するためのイーサネット用端子であって、
前記一対の端子において、伝送経路に沿った、前記導電部との接続点と、その先端との長さそれぞれが、前記イーサネットの通信規格に従って互いに同一またはその差が所定の範囲以内に設けられており、
前記一対の端子うち少なくとも一方には、少なくとも１つの経路迂回部が設けられる、
ことを特徴とするイーサネット用端子。
【請求項２】
前記基端部それぞれは、前記平面に対し垂直方向に沿って延在して設けられており、
前記一対の中間部それぞれには、互いに同一方向に屈曲する屈曲部が設けられ、
前記一方の端子の前記経路迂回部は、前記屈曲部と前記基端部との間に配置される、
ことを特徴とする請求項１に記載のイーサネット用端子。
【請求項３】
前記経路迂回部が、少なくとも１つの折曲部または湾曲部を含んでいる、
ことを特徴とする請求項１または２に記載のイーサネット用端子。
【請求項４】
前記先端部それぞれは、前記平面に対し垂直方向に互いにオフセットされて配置される、
ことを特徴とする請求項１乃至３のいずれか１項に記載のイーサネット用端子。
【請求項５】
前記導電部それぞれは、平板状の基板上に配置される、
ことを特徴とする請求項１乃至４のいずれか１項に記載のイーサネット用端子。
【請求項６】
前記所定の範囲が、３０μｍに設定される、
ことを特徴とする請求項１乃至５のいずれか１項に記載のイーサネット用端子。
【請求項７】
前記一対の端子が複数設けられ、ハウジングに一対ごとに前記平面に対し水平方向に沿って並列して保持される、
ことを特徴とする請求項１乃至６のいずれか１項に記載のイーサネット用端子。
【発明の詳細な説明】
【技術分野】
【０００１】
本発明は、一対単位で設けられ、イーサネット（登録商標、以降記載省略）の通信規格に従って互いの電位差によってデジタル信号を伝送するためのイーサネット用端子に関する。
【背景技術】
【０００２】
情報技術の進展により、様々な情報機器がネットワークに接続されるようになった。その接続方式に関する通信規格として、イーサネットの通信規格が幅広く普及している。そのイーサネットの通信規格に従ってデジタル信号を伝送するために専用のコネクタが使用されており、そのコネクタには一対単位で設けられるイーサネット用端子（以下「端子」ともいう。）が搭載される。この一対の端子は、イーサネットの通信規格に従って互いの電位差によってデジタル信号を伝送するために用いられる。
【０００３】
従来のイーサネット用端子を搭載したコネクタとして、特許文献１には、ハウジングを有するコネクタジャックと、ハウジングのチャンバ内に配置される基板（回路基板）と、この基板に接続される複数の端子と、を備えたものが開示されている。また、特許文献２には、相手方のコンタクトが接続する複数のコンタクトが設けられるハウジングを備え、ハウジングが相手方のコネクタ側の相手コネクタ部が嵌合するコネクタ部を有し、またコネクタ部にも同じく複数の端子が収容されており、その複数の端子がその基端部で同じく基板に接続されたものが開示されている。
【先行技術文献】
【特許文献】
【０００４】
【特許文献１】特開２０１１−１２９５３４号公報
【特許文献２】特開２０１８−６１７５号公報
【発明の概要】
【発明が解決しようとする課題】
【０００５】
ここで、一対の端子間において電気信号の位相を揃える必要があることから、イーサネットの通信規格では、その端子長の差は所定の範囲以内となるように規定されている。上記特許文献１、２のように、端子が基端部で基板に接続される場合には、一対の端子同士は、伝送経路に沿った基板との距離の関係で同形状に設けられ、互いの端子長が略同一になっている。この場合、一対の端子の物理的取り合いから（物理的干渉を回避するため）、基板の平面に対して水平方向に沿って並列、換言すれば横並びで配置しなければならかなった。その端子の幅方向の占有（占有幅）が増加していまい、コネクタの水平方向での幅寸法が大型化する傾向があり、回路設計上の柔軟性に欠けていた。
【０００６】
本発明は、上述した事情に鑑みてなされたものであり、その目的は、イーサネットの通信規格に従って一対の端子同士の長さ関係を維持しながらも、一方の端子の先端部における、他方の端子の先端部に対する相対位置を任意に配置して、イーサネット用端子に関する回路設計上の柔軟性を高めてコネクタをコンパクトにすることができるイーサネット用端子を提供することにある。
【課題を解決するための手段】
【０００７】
前述した目的を達成するために、本発明に係るイーサネット用端子は、下記（１）〜（７）を特徴としている。
（１）  一対単位で設けられ、針金状にそれぞれ形成され、その基端部で同一の平面上にそれぞれ配置される導電部にそれぞれ接続し、その先端部で相手方の端子にそれぞれ接続し、イーサネット（登録商標）の通信規格に従って互いの電位差によってデジタル信号を伝送するためのイーサネット用端子であって、
前記一対の端子において、伝送経路に沿った、前記導電部との接続点と、その先端との長さそれぞれが、前記イーサネットの通信規格に従って互いに同一またはその差が所定の範囲以内に設けられており、
前記一対の端子のうち少なくとも一方には、少なくとも１つの経路迂回部が設けられる、
ことを特徴とするイーサネット用端子。
【０００８】
（２）  前記基端部それぞれは、前記平面に対し垂直方向に沿って延在して設けられており、
前記一対の中間部それぞれには、互いに同一方向に屈曲する屈曲部が設けられ、
前記一方の端子の前記経路迂回部は、前記屈曲部と前記基端部との間に配置される、
ことを特徴とする上記（１）に記載のイーサネット用端子。
【０００９】
（３）  前記経路迂回部が、少なくとも１つの折曲部または湾曲部を含んでいる、
ことを特徴とする上記（１）または（２）に記載のイーサネット用端子。
【００１０】
（４）  前記先端部それぞれは、前記平面に対し垂直方向に互いにオフセットされて配置される、
ことを特徴とする上記（１）乃至（３）のいずれか１つに記載のイーサネット用端子。
【００１１】
（５）  前記導電部それぞれは、平板状の基板上に配置される、
ことを特徴とする上記（１）乃至（４）のいずれか１つに記載のイーサネット用端子。
【００１２】
（６）  前記所定の範囲が、３０μｍに設定される、
ことを特徴とする上記（１）乃至（５）のいずれか１つに記載のイーサネット用端子。
【００１３】
（７）  前記一対の端子が複数設けられ、ハウジングに一対ごとに前記平面に対し水平方向に沿って並列して保持される、
ことを特徴とする上記（１）乃至（６）のいずれか１つに記載のイーサネット用端子。
【００１４】
上記（１）の構成のイーサネット用端子によれば、イーサネットの通信規格に従って一対のイーサネット用端子同士の端子長さの関係を維持しながらも、一方の端子の先端部における、他方の端子の先端部に対する相対位置を任意に配置することができる。これにより、イーサネット用端子に関する回路設計上の柔軟性を高めてコネクタをコンパクトにすることができる。
【００１５】
上記（２）の構成のイーサネット用端子によれば、一方の端子の先端部における、他方の端子の先端部に対する相対位置を、導電部がそれぞれ配置される平面に対する垂直方向に沿って任意に設定して、その端子の水平方向での占有幅を小さくすることができる。これにより、イーサネット用端子を備えるコネクタの水平方向での幅寸法を小さくすることができる。
【００１６】
上記（３）の構成のイーサネット用端子によれば、経路迂回部が、少なくとも１つの折曲部または湾曲部を含んで設けられるため、曲げ加工やプレス可能などで経路迂回部を容易に形成でき、端子製造を簡便化することができる。
【００１７】
上記（４）の構成のイーサネット用端子によれば、先端部それぞれは、平面に対し垂直方向に互いにオフセットされて配置されるとよい。この場合、その端子の水平方向での占有幅を小さくすることができる。
【００１８】
上記（５）の構成のイーサネット用端子によれば、導電部それぞれは、平板状の基板上に配置されるとよい。この場合、イーサネット用端子を備えるコネクタは、基板に一体に取り付けられ、コネクタの多機能化を図ることができる。
【００１９】
上記（６）の構成のイーサネット用端子によれば、所定の範囲が、３０μｍに設定されるとよい。この場合、イーサネットの通信規格に従って一対の端子同士の長さ関係を維持して、デジタル信号を、精度を損なわず伝送することができる。
【００２０】
上記（７）の構成のイーサネット用端子によれば、一対の端子が複数設けられ、ハウジングに一対ごとに平面に対し水平方向に沿って並列して保持されるので、一対のイーサネット用端子を複数備えるコネクタであっても、イーサネット用端子を水平方向で集約して配置して、コネクタが幅広になるのを抑制することができる。
【発明の効果】
【００２１】
本発明のイーサネット用端子の構成によれば、一対の端子において、伝送経路に沿った、導電部との接続点と、その先端との長さそれぞれが、イーサネットの通信規格に従って互いに同一またはその差が所定の範囲以内に設けられており、一対の端子のうち少なくとも一方には、少なくとも１つの経路迂回部が設けられる。このため、イーサネットの通信規格に従って一対のイーサネット用端子同士の端子長さの関係を維持しながらも、一方の端子の先端部における、他方の端子の先端部に対する相対位置を任意に配置することができる。これにより、イーサネット用端子に関する回路設計上の柔軟性を高めてコネクタをコンパクトにすることができる。
【００２２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２３】
【図１】図１は、本発明の実施形態に係るイーサネット用端子を備えるコネクタの構成を説明する斜視図である。
【図２】図２は、図１に示す端子の先端部の形状を説明する斜視図である。
【図３】図３は、図１のＩＩＩ−ＩＩＩ断面図である。
【図４】図４は、図１に示す第１の端子の端子長を説明する側面図である。
【図５】図５は、図１に示す第２の端子の端子長を説明する側面図である。
【図６】図６は、図１に示す第１の端子及び第２の端子に流れる電気信号を説明する模式図である。
【図７】図７は、本発明の実施形態に係る変形例のコネクタを説明する斜視図である。
【発明を実施するための形態】
【００２４】
本発明に関する具体的な実施形態について、各図を参照しながら以下に説明する。
【００２５】
＜コネクタの構成＞
まず図１及び図２を参照して、本実施形態に係る端子１０，２０を備えるコネクタ１の構成について説明する。図１は、本発明の実施形態に係るイーサネット用端子１０，２０を備えるコネクタ１の構成を説明する斜視図である。図２は、図１に示す端子１０，２０の先端部１１，２１の形状を説明する斜視図である。
【００２６】
図１に示すように、コネクタ１は、一対で設けられ、針金状にそれぞれ形成される第１の端子１０及び第２の端子２０（一方の端子）と、矩形状に形成され、第１の端子１０及び第２の端子２０を保持する合成樹脂製のハウジング２と、を有する。
【００２７】
コネクタ１は、そのハウジング２の裏面に基板３が一体に取り付けられる。基板３は平板状に形成され、その表面には複数の回路パターン４が配置される。回路パターン４は複数の導電部５を有する（図３参照）。すなわち、導電部５は、同一の平面上にそれぞれ配置される。
【００２８】
本実施形態では、コネクタ１はオス型のコネクタとして設けられ、不図示のメス型のコネクタ（相手方）に嵌合される。本実施形態のコネクタ１は、メス型のコネクタのハウジングの嵌合口に嵌合する。互いに嵌合した場合、本実施形態のコネクタ１の第１の端子１０及び第２の端子２０は、その先端部１１，２１で相手方の端子にそれぞれ接続する。
【００２９】
第１の端子１０及び第２の端子２０は、導電性の金属部材からなり、イーサネットの通信規格に従って互いの電位差によってデジタル信号を伝送するために用いられる。また、第１の端子１０及び第２の端子２０は、合成樹脂の射出成形などによってハウジング２と一体に設けられ固定保持される。第１の端子１０及び第２の端子２０は、ハウジング２の正面、すなわち相手方の嵌合口に対する対向面において略同一の長さで直線状に露出して保持される。また、第１の端子１０及び第２の端子２０は、基板３（平面）に対し垂直方向に互いにオフセットされて配置される。具体的には、第１の端子１０及び第２の端子２０は上下方向２段で並んで配列され、第１の端子１０が上側に、第２の端子２０が下側に配置される。
【００３０】
図２に示すように、第１の端子１０及び第２の端子２０は、断面略矩形状に形成され、その先端面の周縁にはテーパ面Ｔそれぞれが設けられる。テーパ面Ｔそれぞれは先端に行くに従って先細になるように形成される。この形成により、第１の端子１０及び第２の端子２０は、相手方の端子がメス型であった場合に容易に挿嵌可能となる。
【００３１】
＜端子の構造＞
次に図３〜図５を参照して、第１の端子１０及び第２の端子２０の構造について説明する。図３は、図１のＩＩＩ−ＩＩＩ断面図である。図４は、図１に示す第１の端子１０の端子長Ａを説明する側面図である。図５は、図１に示す第２の端子２０の端子長Ｂを説明する側面図である。
【００３２】
図３に示すように、第１の端子１０及び第２の端子２０は、相手方のコネクタ１に対する挿嵌方向に直線状に延出して相手方の端子に接続する先端部１１，２１と、複数の導電部５にそれぞれ接続する基端部１２，２２と、をそれぞれ有する。基端部１２，２２それぞれは、基板３の平面に対し垂直方向に沿って延在して設けられる。また、第１の端子１０及び第２の端子２０の中間部それぞれには、互いに同一方向を向くように略直角に屈曲する屈曲部１４，２４が設けられる。この屈曲部１４，２４により、上述したように、第１の端子１０及び第２の端子２０の先端部１１，２１は、ハウジング２の正面から同一の方向を向いて露出した状態で保持される。
【００３３】
第１の端子１０の基端部１２は、基板３の導電部５に対し直線状に延出して形成され、その基端部１２の末端には導電部５に直接接続するための足部１３が設けられる。足部１３は半田を介して導電部５に接続する。この足部１３により、接触面積を増加させて導電性を向上させている。
【００３４】
その一方、第２の端子２０の屈曲部２４と基端部２２との間には経路迂回部２５が配設される。経路迂回部２５は、鋭角にそれぞれ折り曲げられる第１の折曲部２６及び第２の折曲部２７と、鈍角に折り曲げられる第３の折曲部２８を含んでいる。また、第１の折曲部２６、第２の折曲部２７及び第３の折曲部２８の間の部分は直線状に形成される。第１の端子１０と同様に、第２の端子２０の基端部２２の末端には導電部５に直接接続するための足部２３が設けられる。
【００３５】
ここで、図４に示すように、第１の端子１０において、伝送経路に沿った、導電部５との接続点Ｐ１（図３参照）と、その先端Ｐ２との長さ（すなわち端子長）Ａは、
Ａ＝ａ１＋ａ２
の式で規定される。そして、図５に示すように、第２の端子２０では経路迂回部２５が設けられていることから、第２の端子２０の端子長Ｂは、
Ｂ＝ｂ１＋ｂ２＋ｂ３＋ｂ４＋ｂ５
の式で規定される。また、上述したように第１の端子１０及び第２の端子２０は、イーサネットの通信規格に従って使用されるものであるため、互いの端子長Ａ，Ｂは同一またはその差が所定の範囲以内（３０μｍ）に設けられる。すなわち、本実施形態でも、
｜Ａ−Ｂ｜≦３０［μｍ］
に設定される。
【００３６】
このように構成されることで、第２の端子２０の経路迂回部２５によって端子長Ｂを稼ぐことが可能となり、第１の端子１０及び第２の端子２０は、基板３の平面に対し同一の垂直面内に全体的に配置可能となる。その結果、第１の端子１０及び第２の端子２０の先端部１１，２１それぞれは上下方向２段で配置可能となる。またこのとき、第２の端子２０は、その上方が第１の端子１０によって全体的に覆われるように入れ子構造でコンパクトに配置される。
【００３７】
また本実施形態の第１の端子１０及び第２の端子２０の製造方法については、第１の端子１０及び第２の端子２０として、その端子長Ａ，Ｂが同一またはその端子長Ａ，Ｂの差が上述の所定の範囲以内となる端子を事前に一対用意する。そして、一対の端子１０，２０のうち一方に対し、中間部にのみ屈曲部１４が形成されるように、プレス加工または曲げ加工を施して第１の端子１０を製造する。その一方、その他方の端子に対し、その中間部に屈曲部２４、さらにその屈曲部２４と基端部２２との間に経路迂回部２５が形成されるように、同じくプレス加工または曲げ加工を施して第２の端子２０を製造する。第１の端子１０及び第２の端子２０が対として用意して、所定の金型に対し第２の端子２０の先端部２１が基板３側（下側）に配置されるように第１の端子１０及び第２の端子２０をセットする。このセットした状態で射出成形して、ハウジング２と一体成形してコネクタ１を製造する。
【００３８】
＜イーサネット用端子の作用＞
次に図６を参照して、第１の端子１０及び第２の端子２０の作用について説明する。図６は、図１に示す第１の端子１０及び第２の端子２０に流れる電気信号Ｓａ，Ｓｂを説明する模式図である。
【００３９】
上述したように、第１の端子１０及び第２の端子２０も従来の端子と同様に、イーサネットの通信規格に従って使用されるものであるため、その制約から互いの端子長Ａ，Ｂは同一またはその差が所定の範囲以内（３０μｍ）に設けられる。しかしながら、本実施形態では、第１の端子１０に対し、第２の端子２０においてその屈曲部２４と基端部２２との間に経路迂回部２５が設けられる。
【００４０】
ところで、従来のように端子同士を同形状に設ける場合、端子同士の物理的取り合いから、基板３に対し横並びで配置しなければならずコネクタが幅広になっていた。これに対し、本実施形態では、第２の端子２０の経路迂回部２５によりその端子長Ｂを稼ぎ、第１の端子１０及び第２の端子２０の先端部１１，２１それぞれは上下方向２段で配置される。そして、第２の端子２０は、その上方が第１の端子１０によって全体的に覆われるように入れ子構造でコンパクトに配置される。このような配置により、端子同士を幅狭に配置することが可能となる。
【００４１】
すなわち、コネクタ１のコンパクトを実現しながらも、本実施形態の場合でも上述したように端子長Ａ，Ｂは互いに同一またはその差が所定の範囲以内のまま維持可能である。そのため、図６に示すように、第１の端子１０に流れる電気信号Ｓａと第２の端子２０に流れる電気信号Ｓｂとの間には大きな位相差は発生しない。そのため、電気信号Ｓａ，Ｓｂが同期して流れ電圧差を明確に発生させて、１または０のデジタル信号の精度を維持することが可能となる。
【００４２】
＜本実施形態のイーサネット用端子の利点＞
以上説明したように本実施形態のイーサネット用端子１０，２０によれば、一対の端子１０，２０において、伝送経路に沿った、導電部５との接続点Ｐ１と、その先端Ｐ２との長さそれぞれが、イーサネットの通信規格に従って互いに同一またはその差が所定の範囲以内に設けられており、一対の端子１０，２０うち第２の端子２０（一方の端子）には、経路迂回部２５が設けられる。このため、イーサネットの通信規格に従って一対のイーサネット用端子１０，２０同士の端子長さＡ，Ｂの関係を維持しながらも、第２の端子２０（一方の端子）の先端部２１における、第１の端子１０（他方の端子）の先端部１１に対する相対位置を任意に配置することができる。これにより、イーサネット用端子１０，２０に関する回路設計上の柔軟性を高めてコネクタ１をコンパクトにすることができる。
なお、回路パターン４の経路を調整することでも対応可能であるが、本実施形態の方がコネクタ１を使用するユーザの手間を省くことができてよい。
【００４３】
また、本実施形態のイーサネット用端子１０，２０によれば、基端部１２，２２それぞれは、基板３の平面に対し垂直方向に沿って延在して設けられており、一対の端子１０，２０の中間部それぞれには、互いに同一方向に屈曲する屈曲部１４，２４が設けられ、第２の端子２０（一方の端子）の経路迂回部２５は、屈曲部２４と基端部２２との間に配置される。このため、第２の端子２０（一方の端子）の先端部２１における、第１の端子１０（他方の端子）の先端部１１に対する相対位置を、導電部５がそれぞれ配置される平面に対する垂直方向に沿って任意に設定して、その端子１０，２０の水平方向での占有幅を小さくすることができる。これにより、イーサネット用端子１０，２０を備えるコネクタ１の水平方向での幅寸法を小さくすることができる。
【００４４】
また、本実施形態のイーサネット用端子１０，２０によれば、経路迂回部２５が、折曲部２６，２７，２８を含んで設けられるため、曲げ加工やプレス加工などで経路迂回部２５を容易に設けるので、端子製造を簡便化することができる。
【００４５】
また、本実施形態のイーサネット用端子１０，２０によれば、先端部１１，２１それぞれは、基板３の平面に対し垂直方向に互いにオフセットされて配置される。このため、その端子１０，２０の水平方向での占有幅を小さくすることができる。
【００４６】
また、本実施形態のイーサネット用端子１０，２０によれば、導電部５それぞれは、平板状の基板３上に配置される。このため、イーサネット用端子１０，２０を備えるコネクタ１は、基板３に一体に取り付けられ、コネクタ１の多機能化を図ることができる。
【００４７】
また、本実施形態のイーサネット用端子１０，２０によれば、上述の所定の範囲が、３０μｍに設定される。このため、イーサネットの通信規格に従って一対の端子１０，２０同士の長さ関係を維持して、デジタル信号を、精度を損なわず伝送することができる。
【００４８】
また、図７に示すように、本実施形態のコネクタ１の変形例として、一対のイーサネット用端子１０，２０が複数の対で設けられ、ハウジング２に一対ごとに基板３の平面に対し水平方向に沿って並列して保持されてもよい。この場合、一対のイーサネット用端子１０，２０を複数備えるコネクタ１であっても、イーサネット用端子１０，２０を水平方向で集約して配置して、コネクタ１が幅広になるのを抑制することができる。
【００４９】
以上で具体的実施形態の説明を終えるが、本発明の態様はこれら実施形態に限定されるものではなく、適宜、変形、改良などが可能である。
例えば、上記実施形態では、第２の端子２０の経路迂回部２５を折曲部２６，２７，２８により設けたが、これに限定されない。これに代えてあるいは組み合わせて、湾曲部により設けてもよく、第２の端子２０の端子長Ａ，Ｂを稼ぐことができれば種々の形状を採用することができる。
【００５０】
ここで、上述した本発明の実施形態に係るイーサネット用端子の特徴をそれぞれ以下［１］〜［７］に簡潔に纏めて列記する。
［１］  一対単位で設けられ、針金状にそれぞれ形成され、その基端部（１２，２２）で同一の平面上にそれぞれ配置される導電部（５）にそれぞれ接続し、その先端部（１１，２１）で相手方の端子にそれぞれ接続し、イーサネット（登録商標）の通信規格に従って互いの電位差によってデジタル信号を伝送するためのイーサネット用端子（１０，２０）であって、
前記一対の端子において、伝送経路に沿った、前記導電部（５）との接続点（Ｐ１）と、その先端（Ｐ２）との長さそれぞれが、前記イーサネットの通信規格に従って互いに同一またはその差が所定の範囲以内に設けられており、
前記一対の端子のうち少なくとも一方（第２の端子、２０）には、少なくとも１つの経路迂回部（２５）が設けられる、
ことを特徴とするイーサネット用端子（１０，２０）。
【００５１】
［２］  前記基端部（１２，２２）それぞれは、前記平面に対し垂直方向に沿って延在して設けられており、
前記一対の中間部それぞれには、互いに同一方向に屈曲する屈曲部（１４，２４）が設けられ、
前記一方の端子（第２の端子、２０）の前記経路迂回部（２５）は、前記屈曲部（２４）と前記基端部（２２）との間に配置される、
ことを特徴とする上記［１］に記載のイーサネット用端子（１０，２０）。
【００５２】
［３］  前記経路迂回部（２５）が、少なくとも１つの折曲部（２６，２７，２８）または湾曲部を含んでいる、
ことを特徴とする上記［１］または［２］に記載のイーサネット用端子（１０，２０）。
【００５３】
［４］  前記先端部（１１，２１）それぞれは、前記平面に対し垂直方向に互いにオフセットされて配置される、
ことを特徴とする上記［１］乃至［３］のいずれか１つに記載のイーサネット用端子（１０，２０）。
【００５４】
［５］  前記導電部（５）それぞれは、平板状の基板（３）上に配置される、
ことを特徴とする上記［１］乃至［４］のいずれか１つに記載のイーサネット用端子（１０，２０）。
【００５５】
［６］  前記所定の範囲が、３０μｍに設定される、
ことを特徴とする上記［１］乃至［５］のいずれか１つに記載のイーサネット用端子（１０，２０）。
【００５６】
［７］  前記一対の端子が複数設けられ、ハウジング（２）に一対ごとに前記平面に対し水平方向に沿って並列して保持される、
ことを特徴とする上記［１］乃至［６］のいずれか１つに記載のイーサネット用端子（１０，２０）。
【符号の説明】
【００５７】
１  コネクタ
２  ハウジング
３  基板
４  回路パターン
５  導電部
１０  第１の端子
１１  先端部
１２  基端部
１３  足部
１４  屈曲部
２０  第２の端子
２１  先端部
２２  基端部
２３  足部
２４  屈曲部
２５  経路迂回部
２６  第１の折曲部
２７  第２の折曲部
２８  第３の折曲部
Ｔ  テーパ面
Ｐ１  接続点
Ｐ２  先端
【図１】
2020173988.tif 000003
【図２】
2020173988.tif 000004
【図３】
2020173988.tif 000005
【図４】
2020173988.tif 000006
【図５】
2020173988.tif 000007
【図６】
2020173988.tif 000008
【図７】
2020173988.tif 000009